(57)【要約】【課題】異なる波長（色）の光を異なる深さで吸収するという特性を利用した撮像素子を用いて、撮像光学系がテレセントリックな光学系でない場合でも色成分の検出を誤ることなく正確な色成分検出を可能とする撮像装置及びそれを備えたカメラを得る。【解決手段】撮像光学系の特性に対応して撮像面上への入射角を求め、入射角に対応した補正値で、光の色成分情報を補正する。【選択図】        図７
2004266440.tif 000002
【特許請求の範囲】
【請求項１】
光軸方向に沿って各々異なる感光波長領域を有する複数の光起電力セルから構成されるセル群を備え、該セル群に入射する光の色成分情報を得る撮像素子と、該撮像素子の前方に配置され、該セル群に被写体光を導く撮像光学系とを有し、
該撮像光学系の特性に対応して、得られた光の色成分情報を補正することを特徴とする撮像装置。
【請求項２】
前記特性は、光学系最終面からの光束の射出角に関する特性であることを特徴とする請求項１に記載の撮像装置。
【請求項３】
前記撮像光学系はズームレンズであることを特徴とする請求項１又は２に記載の撮像装置。
【請求項４】
前記撮像光学系は着脱可能な交換レンズであることを特徴とする請求項１〜３のいずれか１項に記載の撮像装置。
【請求項５】
前記交換レンズは、その光学特性を記憶する記憶手段を有し、該記憶手段は少なくとも光学系最終面からの光束の射出角に関する情報を有していることを特徴とする請求項４に記載の撮像装置。
【請求項６】
請求項１〜５のいずれか１項に記載の撮像装置を備えたことを特徴とするカメラ。
【発明の詳細な説明】
【０００１】
【発明の属する技術分野】
本発明は、撮像装置を使用して被写体画像を得る光学機器、特に異なる波長の光を異なる深さで吸収する特性の撮像素子を用いた撮像装置及びそれを備えたカメラに関するものである。
【０００２】
【従来の技術】
従来より、ビデオカメラ、電子スチルカメラ、カメラ内蔵携帯端末、スキャナー等の光学機器において、ＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等の固体撮像素子が広く使用されてきた。
【０００３】
これらの撮像素子は、カラー画像を得るために、撮像部の最小単位であるフォトセンサ個々の上にカラーフィルタを被せ色を検出するようになっている。このカラーフィルタには、Ｒ（レッド）・Ｇ（グリーン）・Ｂ（ブルー）を用いた原色系タイプと、Ｙ（イエロー）・Ｍ（マゼンタ）・Ｃ（シアン）・Ｇ（グリーン）を用いた補色系タイプの２種が知られていた。
【０００４】
一方、新方式のＣＭＯＳ撮像素子が開発されカメラに搭載されて販売されるようになった。この方式の撮像素子は、シリコンが持つ、異なる波長（色）の光を異なる深さで吸収する、という特性を利用し、一つのフォトセンサから、Ｒ・Ｇ・Ｂの３原色の色成分情報を得るようにしたものである（例えば、特許文献１参照）。
【０００５】
【特許文献１】
特公平６−５２８０２号公報
【０００６】
【発明が解決しようとする課題】
上述の特許文献１に記載の撮像装置は、光起電力セル上にカラーフィルタを被せずとも色情報を取り出すことができる。このため従来の撮像素子で偽色やモアレ現象の発生を防ぐために不可欠であったオプチカルローパスフィルタ（ＯＬＰＦ）を不要とでき、撮像装置の前方に配置される撮像光学系の解像力等の性能をそのまま生かした撮影ができるという特徴を有している。
【０００７】
しかし一方で、この方式の撮像素子に、従来用いられてきた一般的な撮像光学系を組み合わせた場合、同じ色の被写体が撮像素子中心にある場合と周辺にある場合とで、得られる色成分情報が異なってしまうという問題がある。この問題を図を用いて以下に説明する。
【０００８】
図１は、異なる波長（色）の光を異なる深さで吸収する方式の撮像素子に従来の一般的な撮像光学系を組み合わせた場合の主光線の経路を簡略化して示した図である。
【０００９】
同図において、Ｌは撮像光学系の最終面、２８は赤外カットフィルタ、１３Ｂ、１３Ｇ、１３Ｒは、撮像素子中心付近の光起電力セルで、それぞれ図示しない透明電極層の接続端子を介して直列接続されている。一方、１４Ｂ、１４Ｇ、１４Ｒは、撮像素子周辺付近の光起電力セルで、同様に図示しない透明電極層の接続端子を介して直列接続されている。これら直列接続された３種の光起電力セルの両端の電圧を検出した後、所定の演算を行うことで、光起電力セルに入射した光の色成分Ｂ（ブルー）・Ｇ（グリーン）・Ｒ（レッド）を検出するようになっている。
【００１０】
同図において、従来の撮像光学系はテレセントリックな光学系ではないため、撮像素子中心付近に入射する光束Ｒ０と周辺部に入射する光束Ｒ１はその入射角が異なり、図示のように中心付近ではほぼ垂直に入射し、周辺部では傾斜して入射する。このため、同じ厚さの光起電力セルに対する光束の通過距離が異なることとなる。それ故に撮像素子中心と周辺で、同じ色成分の光に対して各光起電力セルの両端の電圧が異なることとなり、この電圧から所定の演算を行い、入射した光の色成分Ｂ（ブルー）・Ｇ（グリーン）・Ｒ（レッド）を検出すると、中心と周辺で出力が異なってしまう問題がある。
【００１１】
この問題は言い換えると、光学系がテレセントリックではない時、この撮像素子は撮像素子周辺で、色成分の検出を誤ってしまうということである。
【００１２】
図２は、白色光を垂直入射と斜め入射させ、それぞれの場合に得られる色成分の概要を示した図である。
【００１３】
図２（ａ）は垂直入射の場合の光起電力セル群から得られた色成分スペクトルであり、図２（ｂ）は斜め入射の場合の光起電力セル群から得られた色成分スペクトルである。同図に示すように、斜め入射では短波長側で高く、長波長側へゆくに従い低めの検出結果となる。
【００１４】
この問題は、撮像光学系をテレセントリックな光学系にすれば解消するが、光学系が大型化したり、レンズ構成が複雑になりコスト高を招くことになり現実的でない。
【００１５】
本発明は上記問題に鑑み、シリコンが持つ、異なる波長（色）の光を異なる深さで吸収するという特性を利用した撮像装置を用いても、撮像光学系がテレセントリックな光学系でなくとも色成分の検出を誤ることなく正確な色成分検出を可能とする撮像装置を得ることを目的とするものである。
【００１６】
【課題を解決するための手段】
上記の目的は、光軸方向に沿って各々異なる感光波長領域を有する複数の光起電力セルから構成されるセル群を備え、該セル群に入射する光の色成分情報を得る撮像素子と、該撮像素子の前方に配置され、該セル群に被写体光を導く撮像光学系とを有し、該撮像光学系の特性に対応して、得られた光の色成分情報を補正することを特徴とする撮像装置、とすることで達成され、撮像光学系がテレセントリックな光学系でなくとも正確な色成分検出を可能とする撮像装置を得ることができる。
【００１７】
更に、この撮像光学系の特性は、光学系最終面からの光束の射出角に関する特性であることを特徴とする撮像装置、とすることで撮像光学系最終面からの光束射出角特性に対応して、得られた光の色成分情報を補正することにより、撮像光学系がテレセントリックな光学系でなくとも正確な色成分検出を可能とする撮像装置を得ることができる。
【００１８】
また、本発明の撮像光学系がズームレンズの場合には、特に大きな効果を享受できる。即ち、ズームレンズの変倍時の光学系最終面からの光束の射出角変化に対応して補正を行うことにより、全変倍領域で正確な色成分検出を可能とする撮像装置が得られる。ひいては、ズームレンズの設計の自由度が増し、撮像光学系のコストダウンをも可能にできる。
【００１９】
また、着脱可能な交換レンズの場合にも、同様の大きな効果を享受できる。即ち、装着されたレンズの光学系最終面からの光束射出角特性に対応して補正を行うことにより、種々の特性の交換レンズに対しても正確な色成分検出を可能とする撮像装置が得られる。ひいては、各種交換レンズの設計の自由度が増し、撮像光学系のコストダウンをも可能にできる。
【００２０】
更に、交換レンズは、その光学特性を記憶する記憶手段を有し、該記憶手段は少なくとも光学系最終面からの光束の射出角に関する情報を有していることが望ましい、こうすることで全ての交換レンズに対応して正確な色成分検出が可能となる。
【００２１】
加えて、本発明の撮像装置を備えたカメラ、とすることで、正確な色成分検出が可能な撮像装置を備えたカメラを得ることができる。
【００２２】
【発明の実施の形態】
以下、実施の形態により本発明を詳しく説明するが、本発明はこれに限定されるものではない。
【００２３】
図３は、本発明の撮像装置を備えたズームレンズ搭載のカメラの外観図の一例である。図３（ａ）はカメラ前面の斜視図、図３（ｂ）はカメラ背面の斜視図である。
【００２４】
図３（ａ）において、８１はズーム変倍撮像光学系でありこの後方に本発明の撮像装置が内蔵される。８２はファインダ窓、８３はレリーズ釦、８４はフラッシュ発光部、８６はマイク、８７はストラップ取り付け部、８８はＵＳＢ端子である。８９はレンズカバーであり、不使用時は撮像光学系８１は沈胴する。
【００２５】
レリーズ釦８３はその１段の押し込み（以後スイッチＳ１のＯＮという）によりカメラの撮影準備動作、即ち焦点合わせ動作や測光動作が行われ、その２段の押し込み（以後スイッチＳ２のＯＮという）により撮影露光動作が行われる。
【００２６】
図３（ｂ）において、９１はファインダ接眼部、９２は赤と緑の表示ランプであり、ＡＦやＡＥの情報をスイッチＳ１がＯＮされた時、点灯もしくは点滅により撮影者に表示するものである。９３はズーム釦であり、ズームアップ、ズームダウンをおこなう釦である。９４はスピーカであり、マイク８６で録音した音声の再生や、レリーズ音等を発するものである。９５はメニュー／セット釦、９６は選択釦で４方向スイッチであり、１００は画像表示部であり画像やその他文字情報等を表示する。メニュー／セット釦９５で、画像表示部１００上に各種のメニューを表示させ、選択釦９６で選択し、メニュー／セット釦９５で確定させる機能を有している。９７は再生釦で、撮影した画像の再生をおこなう釦である。９８はディスプレイ釦で、画像表示部１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード型のリムーバブルメモリが装填されるようになっている。
【００２７】
図４は、本発明の撮像装置を備えたデジタルカメラの一例の概略ブロック図である。
【００２８】
同図において、１２は各回路を制御するＣＰＵである。ズーム変倍撮像光学系８１は前群レンズ２９、後群レンズ１、絞りシャッターユニット２と、この絞りシャッターユニット２を駆動する第１モータ１５、後群レンズ１を駆動する第２モータ１７、前群レンズ２９を駆動する第３モータ２７で構成されている。これら３つのモータはそれぞれ第１モータ駆動回路１６、第２モータ駆動回路１８、第３モータ駆動回路２６を介し、ＣＰＵ１２からの信号によりそれぞれ個別に駆動制御される。２８は赤外カットフィルタである。
【００２９】
３ａは撮像素子であり、３ｂはＡ／Ｄ変換回路であり撮像素子からの光電変換信号をデジタルデータに変換する。４はスイッチング回路でありＣＰＵ１２からの指令に応じデジタルデータを撮像回路５又はＡＥ／ＡＦ処理回路１３へ送るかを切り替える回路である。５の撮像回路はデジタルデータを所定の処理を施しデジタル画像データとするものである。６はバッファメモリ等からなるメモリである。
【００３０】
７はメモリ制御回路であり、撮像回路５からの出力をメモリ６に格納する。８はＤ／Ａ変換回路であり、メモリ６に一時的に記憶された画像信号を読み出してアナログ信号に変換すると共に、再生出力に適する形態の画像信号に変換する。１００はＬＣＤやＥＬディスプレイ等からなる画像表示部であり、Ｄ／Ａ変換回路８より出力された画像信号を画像として表示する。
【００３１】
１１は半導体メモリ等からなる記録用メモリであり、データ化された画像信号を記録する記録媒体である。例えば、フラッシュメモリ等の固定型の半導体メモリ、着脱自在のカード形状若しくはスティック形状の半導体メモリ等が適用される。
【００３２】
１０は圧縮・伸長回路であり、メモリ６に一時的に記憶された画像信号を読み出して記録用メモリ１１に記録するのに適した形態とするために圧縮処理や符号化等のデータ化を施す圧縮回路と、記録用メモリ１１に格納された画像データを再生表示するのに最適な形態とするための復号化や伸長処理を施す伸長処理回路とからなる。１３はＡＥ・ＡＦ処理回路であり、Ａ／Ｄ変換回路３ｂからの出力を受けて、撮像光学系８１の焦点状態の確認と露光条件の設定に用いられる。
【００３３】
１９は各回路に電力を供給する電池である。
２０は電気的に書き換え可能な読み出し専用メモリであるＥＥＰＲＯＭであり、ＣＰＵ１２に接続され、これを介して各種の制御を行うプログラムや各種動作に使用するデータ等が予め記憶されている。
【００３４】
２１は操作スイッチ群からなる操作スイッチであり、ＣＰＵ１２に接続され、各種動作の指令信号を発生させる。例えば、本デジタルカメラを起動させ電源供給を行う指示信号を発生させるパワースイッチ、撮影動作（記録動作）等を開始させるための指示信号を発生させるレリーズスイッチを始め、図３に示す各操作部材の操作によって作動する各種のスイッチから構成されている。
【００３５】
８４は撮影補助光としてのフラッシュ発光部であり、スイッチング回路２３によってフラッシュ発光のオンオフや発光量が制御される。
【００３６】
以上の如く構成されたデジタルカメラの動作のうち本発明に係る撮影時に関する動作について説明する。
【００３７】
撮像光学系８１を透過した光束は、絞り２により光量が調整され、撮像素子３ａの光電変換面上に被写体像として結像される。
【００３８】
この撮像素子は、光軸方向に沿って各々異なる感光波長領域を有する複数の光起電力セルから構成されるセル群を備え、個々の光起電力セルの両端部に発生する電圧を検出して、該セル群に入射する光の色成分情報を得ることができるものである。
【００３９】
被写体像は撮像素子３ａにより電気的な信号に変換され、Ａ／Ｄ変換回路３ｂへ送られデジタルデータに変換された後、スイッチング回路４へ送られる。このスイッチング回路４は撮像回路５へこのデジタルデータを送るか、ＡＥ／ＡＦ処理回路１３に送るか切り替えるものである。ＣＰＵ１２は所定のタイミングでＡＥ／ＡＦ処理回路１３へデジタルデータを送るよう指令を発する。
【００４０】
ＡＥ／ＡＦ処理回路１３に送られる場合は、ＡＥ処理において、入力されたデジタルデータを受けて１画面分の画像データの輝度値に対して累積加算等の演算処理を行い、これにより実露光時のＡＥ条件を算出し、ＣＰＵ１２に出力する。
【００４１】
同様にＡＦ処理においては、入力されたデジタル画像信号を受けて１画面分若しくは画面内の所定の部分についての画像データの高周波成分をハイパスフィルタ（ＨＰＦ）等を介して抽出し、これに対して累積加算等の演算処理を行い、入力された画像データのＡＦ評価値とする。ＡＦ処理では第２モータ１７を順次駆動し、撮影レンズ８１における各レンズ位置での上記ＡＦ処理を行い、各位置でのＡＦ評価値により最もピント位置に近いと思われる位置にレンズを停止させる。
【００４２】
一方、撮像回路５へ送られる場合は、この撮像回路５で所定の処理を行い画像データとした後、メモリ制御回路７を経て、バッファメモリ等からなるメモリ６に一時的に記憶する。
【００４３】
記憶された画像データは、メモリ制御回路７を経てＤ／Ａ変換回路８でアナログ信号に変換されると共に、表示に最適な形態に変換され、画像表示部１００に画像として表示される。即ち、撮影モードにおいては撮像素子３ａにより得た画像を画像表示部１００に連続的に表示することにより、ファインダとしての機能も受け持っている。
【００４４】
一方、レリーズスイッチの信号を受けて実露光処理が実行されると、前述のＡＥ処理で決められた露光条件で絞りシャッタユニット２は閉じ動作を行い、上記と同様にＡ／Ｄ変換回路３ｂ、スイッチング回路４、撮像回路５を経てメモリ６に記憶される。この後、画像データに対して圧縮・伸張回路１０において圧縮処理が施され、記録に最適な形態の画像データに変換されて記録用メモリ１１に記録される。
【００４５】
また、操作スイッチ２１のうち、再生動作を行うべき指令信号を発生させる再生スイッチ（図示せず）が操作されると、再生動作が開始される。すると、記録用メモリ１１に格納された画像データは圧縮・伸長回路１０に出力され、復号化や伸長処理がなされてメモリ６に一時的に記憶される。更に、メモリ制御回路７を経て、Ｄ／Ａ変換回路８にてアナログ信号化され、表示に最適な形態の信号に変換されて、画像表示部１００にて再生表示が行われる。
【００４６】
なお、画像表示部１００には撮影時や再生時のメニューを表示することもできるようになっている。
【００４７】
以上のように構成されたデジタルカメラにおいて、本発明の撮像光学系の特性に対応して、得られた光の色成分情報の補正について、以下に説明する。
【００４８】
図４に示す、ＥＥＰＲＯＭ２０には、種々のカメラ固有のデータに加え、ズーム変倍撮像光学系８１についての光学特性のデータと撮像素子３ａの光起電力セル（以下、フォトダイオードとも称す）への光束の入射角に対応した各色成分の補正係数が製造時に書き込まれている。
【００４９】
このズーム変倍撮像光学系８１の光学特性のデータは、光学系最終面からの光束の射出角に関する情報である。例えば、各焦点距離における射出瞳位置についてのデータ、焦点距離ＦＬ１（ｍｍ）時の射出瞳位置をＡ（ｍｍ）、焦点距離ＦＬ２（ｍｍ）時の射出瞳位置をＢ（ｍｍ）、焦点距離ＦＬ３（ｍｍ）時の射出瞳位置をＣ（ｍｍ）のように所望の焦点距離刻みで書き込まれている。
【００５０】
ＣＰＵ１２は、撮影時にこのＥＥＰＲＯＭ２０から、撮影に使用された焦点距離に対応する射出瞳位置のデータを読み出し、像面上の各点への主光線の入射角を演算し求める。この入射角の求め方は以下のようにする。
【００５１】
撮影時の焦点距離と、それに対応した射出瞳位置のデータにより、撮像素子面上の各点に入射する主光線の入射角θは、
θ（入射角）＝Ｔａｎ−１（光軸からの距離／射出瞳位置）
で求めることができる。即ち、例えば焦点距離ＦＬ１では射出瞳位置Ａが２８ｍｍであった場合、光軸から３ｍｍ離れた像面上の点での主光線入射角θは、
θ＝Ｔａｎ−１（３／２８）＝６．１２°≒６°
と求めることができる。また、例えば焦点距離ＦＬ２では射出瞳位置Ｂが５５ｍｍであった場合、光軸から３ｍｍ離れた像面上の点での主光線入射角θは、
θ＝Ｔａｎ−１（３／５５）＝３．１２°≒３°
と求めることができる。
【００５２】
ＣＰＵ１２は、撮像素子３ａ上の各像高についてこの入射角を演算する。この各像高の入射角に対応した各色成分の補正係数を再度ＥＥＰＲＯＭ２０から読み出し、各像高（光軸との距離）と読み出した各色成分の補正係数を対にして、撮像回路５へ送る。
【００５３】
図５は、ＥＥＰＲＯＭ２０に書き込まれた補正係数の一部を表にして示したものである。同図に示すように、各入射角の時のＢ・Ｇ・Ｒのそれぞれの補正係数が用意されている。この補正係数は、撮像素子３ａ上の光起電力セル（フォトダイオード）への入射角と出力特性をあらかじめ測定して決められるものであり、記載の数字は例である。
【００５４】
撮像回路５は、Ａ／Ｄ変換回路３ｂより送られてくるデジタルデータから画像を形成する各点のＲ・Ｇ・Ｂの強度を得た後、ＣＰＵ１２より送られた像高（光軸との距離）と色成分の補正係数により、Ｒ・Ｇ・Ｂのそれぞれに補正係数との積を求める。なお像高は、撮像素子面中心からの距離で代用できる。
【００５５】
即ち上述の、例えば撮像素子面中心からの距離が３ｍｍの位置で主光線入射角が６°の場合は、図５の補正係数表から補正係数はそれぞれＢ：０．９、Ｇ：１．０５、Ｂ：１．１５である。この場合、撮像素子面中心からの距離が３ｍｍの位置の光起電力セル群から得られたＢ・Ｇ・Ｒの強度をそれぞれＢ３・Ｇ３・Ｒ３とすると、０．９×Ｂ３、１．０５×Ｇ３、１．１５×Ｒ３が補正後のＲ・Ｇ・Ｂのデータとなる。
【００５６】
このような補正計算を、像高に応じて光起電力セル出力の各々について行い、この補正後のデータがメモリ６に送られる。
【００５７】
図６は、撮影及び記録動作時の概略動作を示すフローチャートである。
図６に示すフローは、図３に示すレンズカバー８９が開かれ、連動してメインスイッチがＯＮされ、撮像光学系８１が繰り出された状態からのものである。
【００５８】
まずメインスイッチの状態を確認し（Ｓ１０１）、ＯＮ状態ならばレリーズ釦のスイッチＳ１がＯＮされるのを待機する（Ｓ１０２）。スイッチＳ１がＯＮされると撮影準備動作、即ち上述のＡＥ・ＡＦ処理動作を行う（Ｓ１０３）。この後、再度スイッチＳ１がＯＮされているか確認（Ｓ１０４）し、ＯＦＦの場合はＳ１０２へ戻り、ＯＮ状態であればレリーズ釦のスイッチＳ２がＯＮされるのを待機する（Ｓ１０５）。スイッチＳ２がＯＮされると撮影動作（Ｓ１０６）を行い、撮像素子３ａで得られた光電変換信号をＡ／Ｄ変換回路３ｂでＡ／Ｄ変換する（Ｓ１０７）。次いで、得られたＡ／Ｄ変換後のデジタルデータを、撮像回路５でＢ・Ｇ・Ｒの色成分データに分離する（Ｓ１０８）。この後、Ｂ・Ｇ・Ｒの色成分データに補正を加える（Ｓ１０９）。次に、この補正後の色成分データをメモリ６へ一時格納（Ｓ１１０）し、圧縮・伸張回路１０で圧縮（Ｓ１１１）を行った後、記録用メモリ１１へ格納する（Ｓ１１２）。これで１枚の画像の撮影が終了し、画像データが記録用メモリ１１内に記憶される。
【００５９】
この後、Ｓ１０１へ戻り、メインスイッチがＯＮされていれば、２画像目の撮影のために上記と同様の動作を行い、ＯＦＦされれば撮像光学系８１を沈胴させる等の終了のための処理（Ｓ１１３）を行い終了する。
【００６０】
図７は、色成分の補正（Ｓ１０９）の動作内容を詳しく説明したフローチャートである。
【００６１】
同フローチャートにおいて、Ａ／Ｄ変換後のデジタルデータを、撮像回路５でＢ・Ｇ・Ｒの色成分データに分離（Ｓ１０８）した後、ＣＰＵ１２はＥＥＰＲＯＭ２０から撮影に使用した焦点距離に対応した射出瞳位置のデータを読み出し（Ｓ２０１）、このデータを用いて各像高における入射角を計算する（Ｓ２０２）。次いで、この各像高の入射角に対応する各色成分の補正係数をＥＥＰＲＯＭ２０から読み出し（Ｓ２０３）、各像高とその像高での各色成分の補正係数を対にして撮像回路５へ送る（Ｓ２０４）。
【００６２】
撮像回路５では、この送られた各像高とその像高での各色成分の補正係数を基に、Ｂ・Ｇ・Ｒのデジタルデータを各像高に応じ、各色成分を補正演算する（Ｓ２０５）。この後、補正演算後のＢ・Ｇ・Ｒのデータをメモリ６へ送る（Ｓ２０６）。以上が色成分補正（Ｓ１０９）の内容である。
【００６３】
これにより、ＯＬＰＦを必要としない新方式の撮像素子を用い、撮像光学系がテレセントリックな光学系でなくとも色成分の検出を誤ることなく正確な色成分検出を可能とする撮像装置を得ることができる。
【００６４】
更に上記の光学系最終面からの光束の射出角が変化するズームレンズの場合でも全変倍領域で正確な色成分検出を可能とする撮像装置が得られ、同時にズームレンズの設計自由度が増し、撮像光学系のコストダウンをも可能にできる。
【００６５】
なお、計算で各像高の入射角を求める方法で説明したが、ＥＥＰＲＯＭ２０内に、像高（光軸との距離）とその像高に結像する光束の主光線の光学系最終面からの射出角を、各焦点距離についてテーブル化したものを書き込んでおき、これをＣＰＵ１２が読み出すようにしたものであってもよい。近年、携帯端末等に用いられているような光学系の射出瞳位置が規定できないような光学系の場合は、このテーブル化する方法が望ましい。
【００６６】
次に、本発明のその他の実施の形態について説明する。
図８は、本発明の撮像装置を備えたレンズ交換式カメラの外観の一例を示す斜視図である。
【００６７】
同図において、デジタルカメラ本体ＢＤに対して、撮像光学系である交換レンズＬＥが着脱自在に装着される。交換レンズＬＥは、単焦点レンズ、ズームレンズを問わず装着可能である。カメラ本体の上面に配置されているメインスイッチ１１１はカメラの動作を開始させるために用いられる。レリーズ釦１１２はその１段の押し込み（スイッチＳ１のＯＮ）によりカメラの撮影準備動作、即ち焦点合わせ動作や測光動作が行われ、その２段の押し込み（スイッチＳ２のＯＮ）により撮影露光動作が行われる。１１５はフラッシュ発光部であり低輝度下や逆光時に使用される。１１７はセルフタイマーの表示ＬＥＤ、上面の１１８はフラッシュモード等の各種撮影に関する選択釦である。なお、本カメラは、レンズシャッター式のカメラでありファインダとしてはＥＶＦ（Ｅｌｅｃｔｏｒｉｃ  Ｖｉｅｗ  Ｆｉｎｄｅｒ）を搭載したものである。
【００６８】
図９は、レンズ交換式カメラの概略ブロック図である。図４に示したブロック図と同機能の部分には同符号を付し説明の重複を避け、異なる部分についてのみ説明する。
【００６９】
図９において、交換レンズＬＥには、レンズ群１０１、第１モータ１５、第１モータ駆動回路１６、第２モータ１７、第２モータ駆動回路１８に加え、その光学特性を記憶させたＲＯＭ２５を内蔵しており、このＲＯＭ２５は少なくとも光学系最終面からの光束の射出角に関する情報、即ち射出瞳位置のデータもしくは像高（光軸との距離）とその像高に結像する光束の主光線の光学系最終面からの射出角をテーブル化したものが記憶されている。ズームレンズの場合には、各焦点距離に対応する上記同様のデータとなる。また、画像表示部１００に加え、ＥＶＦ９９が設けられている。
【００７０】
レンズ交換により、図示一点鎖線で囲まれた部分が交換される。これにより交換時には光学特性を記憶させたＲＯＭも交換することになり、装着レンズに対応した上述の色成分補正が可能となる。
【００７１】
なお、図９に示すレンズ交換式カメラの撮影及び記録動作時の概略動作は図６で示したフローチャートと同じでよい。
【００７２】
図１０は、レンズ交換式カメラにおける色成分の補正（Ｓ１０９）の動作内容を説明したフローチャートである。
【００７３】
図１０に示すフローは、図７に示すフローのＳ２０１に相当する部分が異なる。図１０において、Ａ／Ｄ変換後のデジタルデータを、撮像回路５でＢ・Ｇ・Ｒの色成分データに分離（Ｓ１０８）した後、ＣＰＵ１２は交換レンズＬＥのＲＯＭ２５から射出瞳位置のデータを読み出し（Ｓ３０１）、以下、Ｓ２０２以降は図７のフローと同様である。
【００７４】
このようにレンズ交換に伴ってレンズ固有の光学特性を記憶した記憶媒体も交換されるので、全ての交換レンズに対応して正確な色成分検出を可能とでき、種々の特性の交換レンズに対しても正確な色成分検出を可能とする撮像装置が得られ、同時に各種交換レンズの設計の自由度が増し、撮像光学系のコストダウンをも可能にできる。
【００７５】
なお、上記の説明では、撮像回路で、ＣＰＵより送られた各像高とその像高での各色成分の補正係数を基に、Ｂ・Ｇ・Ｒのデジタルデータを各像高に応じ、各色成分を補正演算するよう構成したが、撮像回路からＣＰＵへ分離後のＢ・Ｇ・Ｒのデジタルデータを送り、ＣＰＵで補正演算し、補正後のデータを撮像回路へ戻すように構成する等、他の方法で同様の補正を行うものは本発明を逸脱するものではない。
【００７６】
【発明の効果】
以上説明したように、シリコンが持つ、異なる波長（色）の光を異なる深さで吸収するという特性を利用した撮像素子を用いても、撮像光学系がテレセントリックな光学系でなくとも色成分の検出を誤ることなく正確な色成分検出を可能とする撮像装置及びそれを備えたカメラを得ることができた。
【図面の簡単な説明】
【図１】異なる波長（色）の光を異なる深さで吸収する方式の撮像素子に従来の一般的な撮像光学系を組み合わせた場合の主光線の経路を簡略化して示した図である。
【図２】白色光を垂直入射と斜め入射させ、それぞれの場合に得られる色成分の概要を示した図である。
【図３】本発明の撮像装置を備えたズームレンズ搭載のカメラの外観図の一例である。
【図４】本発明の撮像装置を備えたデジタルカメラの一例の概略ブロック図である。
【図５】ＥＥＰＲＯＭに書き込まれた補正係数の一部を表にして示したものである。
【図６】撮影及び記録動作時の概略動作を示すフローチャートである。
【図７】色成分の補正の動作内容を詳しく説明したフローチャートである。
【図８】本発明の撮像装置を備えたレンズ交換式カメラの外観の一例を示す斜視図である。
【図９】レンズ交換式カメラの概略ブロック図である。
【図１０】レンズ交換式カメラにおける色成分の補正の動作内容を説明したフローチャートである。
【符号の説明】
８１  ズーム変倍撮像光学系
８２  ファインダ窓
８３  レリーズ釦
８４  フラッシュ発光部
８６  マイク
８７  ストラップ取り付け部
８８  ＵＳＢ端子
８９  スライドカバー
９１  ファインダ接眼部
９２  表示ランプ
９３  ズーム釦
９４  スピーカ
９５  メニュー／セット釦
９６  選択釦
１００  画像表示部
１０２  電池／カード蓋
【図１】
2004266440.tif 000003
【図２】
2004266440.tif 000004
【図３】
2004266440.tif 000005
【図４】
2004266440.tif 000006
【図５】
2004266440.tif 000007
【図６】
2004266440.tif 000008
【図７】
2004266440.tif 000009
【図８】
2004266440.tif 000010
【図９】
2004266440.tif 000011
【図１０】
2004266440.tif 000012